(57)【要約】【課題】放射線の照射を受けて電荷を発生する記録用光導電層と、その発生した電荷を蓄積する電荷輸送層と、読取光の照射により電荷を発生する読取用光導電層と、読取光の照射に対して電荷対発生用の線状の電荷対発生電極と読取光の照射に対して電荷対非発生用の線状の電荷対非発生電極とが交互に多数配置された電極層とがこの順に積層された放射線画像検出器において、電荷対発生用電極から電荷対非発生電極へオフセット電流や残像電流が流れるのを抑制し、放射線画像の画質の向上を図る。【解決手段】電荷対発生電極５および電荷対非発生電極６の長さ方向に延びる側端面および上面を被覆することなく、隣接する電荷対発生電極５と電荷対非発生電極６との間の電荷の移動を妨げる絶縁性部材からなる隔壁部材９を設ける。【選択図】図２
2008177216.tif 000002
【特許請求の範囲】
【請求項１】
放射線画像を担持した記録用の電磁波の照射を受けて電荷を発生し、該発生した電荷を蓄積する電荷蓄積層と、読取光の照射により電荷を発生する光導電層と、前記読取光の照射に対して電荷対発生用の線状の電荷対発生電極と前記読取光の照射に対して電荷対非発生用の線状の電荷対非発生電極とが交互に多数配置された電極層とがこの順に積層された放射線画像検出器において、
前記電荷対発生電極および前記電荷対非発生電極の長さ方向に延びる側端面および上面を被覆することなく、隣接する前記電荷対発生電極と前記電荷対非発生電極との間の電荷の移動を妨げる絶縁性部材からなる隔壁部材が設けられていることを特徴とする放射線画像検出器。
【請求項２】
前記電荷対非発生電極が、透明線状電極と前記読取光を遮光する線状遮光体からなるものであり、
前記隔壁部材が、前記透明線状電極と前記線状遮光体との間に設けられた、前記透明線状電極よりも広い幅を有する線状部材であることを特徴とする請求項１記載の放射線画像検出器。
【請求項３】
前記隔壁部材が、前記電荷対発生電極の下面側に設けられた、該電荷対発生電極よりも広い幅を有する線状部材であることを特徴とする請求項１記載の放射線画像検出器。
【発明の詳細な説明】
【技術分野】
【０００１】
本発明は、放射線画像を担持した放射線の照射を受けて放射線画像を記録し、読取光により走査されて放射線画像に応じた信号が読み出される放射線画像検出器に関するものである。
【背景技術】
【０００２】
従来、医療分野などにおいて、被写体を透過した放射線の照射を受けて電荷を発生し、その電荷を蓄積することにより被写体に関する放射線画像を記録する放射線画像検出器が各種提案、実用化されている。
【０００３】
そして、上記のような放射線画像検出器としては、たとえば、特許文献１には、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状に延びる透明線状電極と読取光を遮光する線状に延びる遮光線状電極とが平行に交互に配列された第２の電極層をこの順に積層してなる放射線画像検出器が提案されている。
【０００４】
上記のように構成された放射線画像検出器により放射線画像の記録を行う際には、図８（Ａ）に示すように、まず、第１の電極層５１に負の高電圧が印加された状態で、被写体を透過した放射線が第１の電極層５１側から照射される。上記のようにして照射された放射線は、第１の電極層５１を透過し、記録用光導電層５２に照射され、記録用光導電層５２の放射線の照射された部分において電荷対が発生し、この電荷対のうち正の電荷は負に帯電した第１の電極層５１に向かって移動し、第１の電極層５１における負の電荷と結合して消滅する。一方、上記ようにして発生した電荷対のうち負の電荷は正に帯電した透明線状電極５５および遮光線状電極５６に向かって移動するが、上記のように電荷輸送層５３は負の電荷に対しては絶縁体として作用するため、上記負の電荷は記録用光導電層５２と電荷輸送層５３との界面である蓄電部５７に蓄積され、この蓄電部５７への負の電荷の蓄積により放射線画像の記録が行われる（図８（Ｂ））。
【０００５】
そして、上記のようにして記録された放射線画像を放射線画像検出器から読み取る際には、図９に示すように、まず、読取光Ｌ１が透明線状電極５５および遮光線状電極５６側から照射される。照射された読取光Ｌ１は、透明線状電極５５を透過し、読取用光導電層５４に照射され、読取用光導電層５４において電荷対が発生する。そして、読取光Ｌ１の照射により読取用光導電層５４において発生した正の電荷が蓄電部５７における負の電荷と結合するとともに、読取用光導電層４において発生した負の電荷が電荷対発生電極５に帯電した正の電荷と結合するとともに、チャージアンプ３０を介して電荷対非発生電極５６に帯電した正の電荷と結合することによってチャージアンプ３５に電流が流れ、この電流が積分されて画像信号として検出され、放射線画像に応じた画像信号の読取りが行われる。
【０００６】
そして、上記のように放射線画像の読取りが行われた後、透明線状電極５５および遮光線状電極５６側から消去光が照射され、蓄電部５７などに残留した電荷の消去が行われ、再度放射線画像の記録に供される。
【０００７】
【特許文献１】特開２０００−２８４０５６号公報
【発明の開示】
【発明が解決しようとする課題】
【０００８】
ここで、上記のようにして放射線画像の読取り行う際、読取光の照射によって発生した正の電荷は蓄電部５７に向かって移動するだけでなく、光起電力による電荷の拡散の作用によって、図１０に示すように、電荷対非発生電極５６に向かって移動し、これがオフセット電流として画像信号とともに検出され、画質の劣化を招いていた。
【０００９】
そして、このオフセット電流は、読取光の変化や消去光の照射履歴によってその大きさが変化するため、読み取られた画像信号の補正によっては適切に除去することができなかった。
【００１０】
また、たとえば、大線量が放射線画像検出器に照射された場合には、記録用光導電層５２で発生した電荷を全て蓄電部５７に蓄積することは容易ではないために、その線量に応じた負の電荷の一部が、図１０に示すように、電荷対非発生電極５６と読取用光導電層５４との界面に蓄積していた。そして、この残電荷が、読取光の照射時に、電荷対発生電極５５から電荷対非発生電極５６に流れる残像電流を誘起し、この残像電流が画像信号とともに検出され、画質の劣化を招いていた。
【００１１】
また、画素サイズの高精細化に伴い、電荷対発生電極と電荷対非発生電極との隙間が狭くなる結果、電荷対発生電極および電荷対非発生電極とをパターンニングした際、電極間に電極残渣が残り易くなり、その領域では電極間の抵抗が低下し、電極間で電荷の移動が生じやすくなり、局所的なオフセットの増加や残像の増加を引き起こし、画質の劣化を招いていた。
【００１２】
本発明は、上記事情に鑑み、上記のようなオフセット電流や残像電流の発生を抑制し、読み取られる放射線画像の画質の向上を図ることができる放射線画像検出器を提供することを目的とするものである。
【課題を解決するための手段】
【００１３】
本発明の放射線画像検出器は、放射線画像を担持した記録用の電磁波の照射を受けて電荷を発生し、該発生した電荷を蓄積する電荷蓄積層と、読取光の照射により電荷を発生する光導電層と、読取光の照射に対して電荷対発生用の線状の電荷対発生電極と読取光の照射に対して電荷対非発生用の線状の電荷対非発生電極とが交互に多数配置された電極層とがこの順に積層された放射線画像検出器において、電荷対発生電極および電荷対非発生電極の長さ方向に延びる側端面および上面を被覆することなく、隣接する電荷対発生電極と電荷対非発生電極との間の電荷の移動を妨げる絶縁性部材からなる隔壁部材が設けられていることを特徴とする。
【００１４】
ここで、上記「上面」とは、電荷対発生電極および電荷対非発生電極の光導電層側の面」である。
【００１５】
また、上記本発明の放射線画像検出器においては、電荷対非発生電極を、透明線状電極と読取光を遮光する線状遮光体からなるものとし、隔壁部材を、透明線状電極と線状遮光体との間に設けられた、透明線状電極よりも広い幅を有する線状部材とすることができる。
【００１６】
また、隔壁部材を、電荷対発生電極の下面側に設けられた、電荷対発生電極よりも広い幅を有する線状部材とすることができる。
【００１７】
ここで、上記「下面」とは、電荷対発生電極および電荷対非発生電極の光導電層側とは反対側の面」である。
【００１８】
また、上記障壁部材は、隣接する電荷対発生電極の端部と電荷対非発生電極の端部とを、放射線画像検出器の基板に平行な面内において、少なくとも上記電極の厚みの３倍以上、好ましくは１０倍以上の段差または障壁高さをもって隔絶する線状部材をすることができる。
【発明の効果】
【００１９】
本発明の放射線画像検出器によれば、電荷対発生電極および電荷対非発生電極の長さ方向に延びる側端面および上面を被覆することなく、隣接する電荷対発生電極と電荷対非発生電極との間の電荷の移動を妨げる絶縁性部材からなる隔壁部材が設けるようにしたので、電荷対発生電極から電荷対非発生電極へ向かって上述したオフセット電流や残像電流が流れるのを抑制することができ、読み取られる放射線画像の画質の向上を図ることができる。
【００２０】
また、本発明の放射線画像検出器において、隣接する電荷対発生電極の端部と電荷対非発生電極の端部とを、少なくとも上記電極の厚みの３倍以上、好ましくは１０倍以上の段差または障壁高さをもつ線状部材で、放射線画像検出器の基板に平行な面内において隔ててるようにした場合にした場合には、電荷対発生電極と電荷対非発生電極との間の電極材料残渣に起因した電極間の局所的な抵抗の低下を抑え、局所的なオフセットの増加や残像の増加を抑制することができ、読み取られる放射線画像の画質の向上を図ることができる。
【発明を実施するための最良の形態】
【００２１】
以下、図面を参照して本発明の放射線画像検出器の一実施形態について説明する。図１は本放射線画像検出器の斜視図、図２は図１に示す放射線画像検出器の２−２線断面図である。
【００２２】
本放射線画像検出器１０は、図１および図２に示すように、放射線画像を担持した放射線を透過する第１の電極層１、第１の電極層１を透過した放射線の照射を受けることにより電荷を発生する記録用光導電層２、記録用光導電層２において発生した電荷のうち一方の極性の電荷に対しては絶縁体として作用し、且つ他方の極性の電荷に対しては導電体として作用する電荷輸送層３、読取光の照射を受けることにより電荷を発生する読取用光導電層４、および読取光の照射に対して電荷対発生用の線状の電荷対発生電極５と読取光の照射に対して電荷対非発生用の線状の電荷対非発生電極６とが交互に多数配列された第２の電極層７をこの順に積層してなるものである。記録用光導電層２と電荷輸送層３との間には、記録用光導電層２内で発生した電荷を蓄積する蓄電部８が形成されている。なお、上記各層は、ガラス基板上に第２の電極層７から順に形成されるものであるが、図１および図２においては、ガラス基板を省略している。また、記録用光導電層２と電荷輸送層３とにより請求項における電荷蓄積層が形成されている。
【００２３】
第１の電極層１としては、放射線を透過するものであればよく、たとえば、ネサ皮膜（ＳｎＯ2）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【００２４】
第２の電極層７は、上記のように電荷発生用電極５と電荷非発生用電極６とを有するものである。
【００２５】
電荷対発生電極５は、読取光を透過し、導電性を呈する材料であれば如何なるもので形成してもよいが、たとえば、第１の電極層１と同様に、ＩＴＯやＩＤＩＸＯを用いることができる。
【００２６】
電荷対非発生電極６は、透明線状電極６ａと読取光を遮光する線状遮光体６ｂとから構成されている。透明線状電極６ａは、透明かつ導電性を呈する材料であれば如何なるものでもよいが、たとえば、第１の電極層１と同様に、ＩＴＯやＩＤＩＸＯを用いることができる。線状遮光体６ｂは、たとえば、読取光として波長が４００ｎｍ〜４８０ｎｍの青色光する場合には、黄レジストまたは赤レジストにより形成するようにすればよい。また、本実施形態においては、電荷対非発生電極６を、上記のように透明線状電極６ａと線状遮光体６ｂとから構成するようにしたが、たとえば、電荷対非発生電極を透明線状電極６ａのみから構成し、この透明線状電極６ａに読取光が入射するのを妨げる線状遮光体を放射線画像検出器１０とは別に設けるようにしてもよい。
【００２７】
そして、図２に示すように、電荷対非発生電極の透明線状電極６ａと線状遮光体６ｂとの間には、線状隔壁体９が設けられている。線状隔壁体９は、少なくとも透明線状電極６ａの厚みの３倍以上、好ましくは１０倍以上の段差または障壁高さをもつものであり、透明線状電極６ａの幅Ｗａよりも広い幅Ｗｂを有するものである。そして、線状隔壁体９は、後述するように、電荷対発生電極５と電荷対非発生電極６との間の電荷の移動を妨げるように構成されており、絶縁性部材により形成されている。なお、線状隔壁体９の形状は、上記のように作用するように、電荷対発生電極５と電荷対非発生電極６との間隔などの条件に基づいて適宜決定するようにすればよい。線状隔壁体９は、図２に示すように、隣接する透明線状電極６ａの端部と電荷対発生電極５の端部とを結ぶ直線を遮るように形成することが望ましい。
【００２８】
記録用光導電層２は、放射線の照射を受けることにより電荷を発生するものであればよく、放射線に対して比較的量子効率が高く、また暗抵抗が高いなどの点で優れているａ−Ｓｅを主成分とするものを使用する。厚さは５００μｍ程度が適切である。
【００２９】
電荷輸送層３としては、たとえば、放射線画像の記録の際に第１の電極層１に帯電する電荷の移動度と、その逆極性となる電荷の移動度の差が大きい程良く（例えば１０２以上、望ましくは１０３以上）ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００３０】
読取用光導電層４としては、読取光および消去光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは０．１〜１μｍ程度が適切である。
【００３１】
次に、本放射線画像検出器の作用について説明する。
【００３２】
まず、図３（Ａ）に示すように、放射線画像検出器１０の第１の電極層１に高電圧源２０により負の電圧を印加した状態において、放射線源から被写体に向けて放射線が照射され、その被写体を透過して被写体の放射線画像を担持した放射線が放射線画像検出器１０の第１の電極層１側から照射される。
【００３３】
そして、放射線画像検出器１０に照射された放射線は、第１の電極層１を透過し、記録用光導電層２に照射される。そして、その放射線の照射によって記録用光導電層２において電荷対が発生し、そのうち正の電荷は第１の電極層１に帯電した負の電荷と結合して消滅し、負の電荷は潜像電荷として記録用光導電層２と電荷輸送層３との界面に形成される蓄電部８に蓄積されて放射線画像が記録される（図３（Ｂ）参照）。
【００３４】
そして、次に、図４に示すように、第１の電極層１が接地された状態において、第２の電極層７側から読取光Ｌ１が照射され、読取光Ｌ１は電荷発生用電極５を透過して読取用光導電層４に照射される。読取光Ｌ１の照射により読取用光導電層４において発生した正の電荷が蓄電部８における潜像電荷と結合するとともに、読取用光導電層４において発生した負の電荷が電荷対発生電極５に帯電した正の電荷と結合するとともに、チャージアンプ３０を介して電荷対非発生電極６に帯電した正の電荷と結合することによってチャージアンプ３０に電流が流れ、この電流が積分されて画像信号として検出され、放射線画像に応じた画像信号の読取りが行われる。
【００３５】
ここで、上述したように、従来は、読取光の照射によって電荷対発生電極５から電荷対非発生電極６へオフセット電流や残像電流が流れ出し、これが上記画像信号とともにノイズ信号として検出されていたが、上記実施形態の放射線画像検出器１０によれば、線状隔壁体９を設けるようにしたので、電荷対発生電極５から電荷対非発生電極６への電荷の移動を線状隔壁体９により妨げることができ、上記オフセット電流や残像電流が流れるのを抑制することができる。
【００３６】
なお、上記のように線状隔壁体９を設けるようにしても、たとえば、最初の読取りの際には、電荷対発生電極５近傍で発生した電荷が、線状隔壁体９まで移動してしまうため若干のオフセット電流が流れてしまう。したがって、読取りを行う前に前露光光を照射するようにすれば、この前露光光の照射によって電荷対発生電極５近傍で発生した電荷を線状隔壁体９近傍に蓄積することができ、これにより読取りの際に、上記のようにオフセット電流が流れるのを防止することができる。
【００３７】
また、上記実施形態の放射線画像検出器１０によれば、線状隔壁体９を設けるようにしたので、電荷対発生電極５と電荷対非発生電極６とのショートを低減させることができる。
【００３８】
また、上記実施形態の放射線画像検出器１０によれば、電荷対非発生電極６の透明線状電極６ａの方が電荷対発生電極５よりも上部に配置するようにしたので、透明線状電極６ａと蓄電部８とにより形成されるコンデンサの容量を大きくすることができ、透明線状電極６ａに帯電する正の電荷をより大きくすることができるので、読取感度の向上を図ることができる。
【００３９】
また、上記実施形態の放射線画像検出器１０においては、線状隔壁体９を、電荷対非発生電極６の透明線状電極６ａと線状遮光体６ｂとの間に設けるようにしたが、これに限らず、たとえば、図５に示す放射線画像検出器２０のように、電荷対発生電極５の下面側（読取用光導電層４側とは反対側）に線状隔壁体９を設けるようにしてもよい。線状隔壁体９は、電荷対発生電極５の幅Ｗｃよりも広い幅Ｗｄを有するものである。そして、図５に示すように、向かい合う透明線状電極６ａの端部と電荷対発生電極５の端部とを結ぶ直線を遮るように形成することが望ましい。
【００４０】
また、図６に示す放射線画像検出器３０のように、電荷対非発生電極６と電荷発生電極５との間に線状隔壁体９を設けるようにしてもよい。上記のように線状隔壁体９を設けるようにする場合には、線状隔壁体１１の高さＨは、透明線状電極６ａの端部と電荷対発生電極５の端部とを結ぶ直線を遮るような高さとすることが望ましい。また、蓄電部８に蓄積された潜像電荷と読取光の照射によって電荷対発生電極５近傍で発生した正の電荷との結合を実質的に妨げない程度の高さとすることが望ましい。
【００４１】
また、図７に示す放射線画像検出器４０のように、図１および図２に示す放射線画像検出器１０に、さらに、電荷対発生電極５の下面側に線状隔壁体１１を設けるようにしてもよい。この場合においても、向かい合う透明線状電極６ａの端部と電荷対発生電極５の端部とを結ぶ直線を遮るような高さで線状隔壁体１１を形成することが望ましい。なお、オフセット電流および残像電流の抑制効果を十分得ることができないが、電荷対発生電極５と透明線状電極６ａとがほぼ同じ高さに位置するように、線状隔壁体９，１１を形成るようにしてもよい。上記のように形成すれば、電荷対発生電極５と透明線状電極６ａとのショートを最も低減することができる。
【００４２】
また、上記実施形態は、放射線の照射を受けてその放射線を直接電荷に変換することにより放射線画像の記録を行う、いわゆる直接変換方式の放射斜線画像検出器に本発明を適用したものであるが、これに限らず、たとえば、放射線を一旦可視光に変換し、その可視光を電荷に変換することにより放射線画像の記録を行う、いわゆる間接変換方式の放射線画像検出器に本発明を適用するようにしてもよい。
【００４３】
また、放射線画像検出器の層構成は上記実施形態のような層構成に限らずその他の層を加えたりしてもよい。
【図面の簡単な説明】
【００４４】
【図１】本発明の放射線画像検出器の一実施形態の概略構成図
【図２】図１に示す放射線画像検出器の２−２線断面図
【図３】図１に示す放射線画像検出器への放射線画像の記録の作用を説明するための図
【図４】図１に示す放射線画像検出器からの放射線画像の読取りの作用を説明するための図
【図５】本発明の放射線画像検出器のその他の実施形態を示す図
【図６】本発明の放射線画像検出器のその他の実施形態を示す図
【図７】本発明の放射線画像検出器のその他の実施形態を示す図
【図８】従来の放射線画像検出器への放射線画像の記録の作用を説明するための図
【図９】従来の放射線画像検出器からの放射線画像の読取りの作用を説明するための図
【図１０】従来の放射線画像検出器に流れるオフセット電流および残像電流を説明するための図
【符号の説明】
【００４５】
１    第１の電極層
２    記録用光導電層
３    電荷輸送層
４    読取用光導電層（光導電層）
５    電荷対発生用電極
６    電荷対非発生用電極
６ａ    透明線状電極
６ｂ    線状遮光体
７    第２の電極層
８    蓄電部
９，１１    線状隔壁体
１０    放射線画像検出器
３０    チャージアンプ
【図１】
2008177216.tif 000003
【図２】
2008177216.tif 000004
【図３】
2008177216.tif 000005
【図４】
2008177216.tif 000006
【図５】
2008177216.tif 000007
【図６】
2008177216.tif 000008
【図７】
2008177216.tif 000009
【図８】
2008177216.tif 000010
【図９】
2008177216.tif 000011
【図１０】
2008177216.tif 000012